(57)【要約】      （修正有）【課題】加熱や凍結を防止する防護機能を有する二次電池パックを提供する。【解決手段】両端に、それぞれ導電部１２があり、各導電部に導線１４が電気的に接続され、導線を介して外部装置に接続されて供電できる電池パック１０と、内部に電池パックを収納するための収納スペースが形成されるケーシング４０と、ケーシングに充填され、導線を露出するように電池パックを覆う保護層３０と、を備え、保護層は、常温において固体であり、高温になると液体に溶け、電池パックを外部環境から隔離して保護するだけでなく、有効的に熱伝導を行う。保護層を臘膜とすることにより、電池パックの熱エネルギーが排出されて吸収され、また、外部空気から隔離されて、電池パックの過熱や空気中酸素に接触することによる炎上や爆発を防止できる。【選択図】図２
0003196740.tif 000002
【実用新案登録請求の範囲】
【請求項１】
その両端に、それぞれ、導電部があり、前記各導電部に、導線が電気的に接続される電池パックと、
その内部に、前記電池パックを収納するための収納スペースが形成されるケーシングと、
前記ケーシングに充填されて、前記導線を露出させるように前記電池パックを覆い、常温において、固体である保護膜と、を具備することを特徴とする、
防護機能を有する二次電池パック。
【請求項２】
前記保護層が、４６℃−９０℃の範囲内において、液体保護層であることを特徴とする請求項１に記載の防護機能を有する二次電池パック。
【請求項３】
前記保護層が、蝋であることを特徴とする請求項１に記載の防護機能を有する二次電池パック。
【請求項４】
前記ケーシングが、金属ケーシングであることを特徴とする請求項１に記載の防護機能を有する二次電池パック。
【請求項５】
前記金属ケーシングが、アルミニウムケーシングであることを特徴とする請求項４に記載の防護機能を有する二次電池パック。
【請求項６】
前記電池パックに、更に、並列した複数の二次電池を有し、前記各二次電池に、それぞれ、二つの導電端子が備えられ、前記導電端子が、隣り合う前記二次電池の前記導電端子に接続されて、前記二次電池が直列され、また、一列目の前記二次電池と最終行の前記二次電池の一つの前記導電端子を、隣り合う前記二次電池の前記導電端子に接続しないように、前記電池パックの前記導電部とすることを特徴とする請求項１に記載の防護機能を有する二次電池パック。
【請求項７】
前記各二次電池において、前記二つの導電端子の間に、更に、逃がし弁が設けられて、前記二次電池部の内圧力が釈放されることを特徴とする請求項６に記載の防護機能を有する二次電池パック。
【請求項８】
更に、それぞれ、前記二次電池の両端に、第一固定枠と第二固定枠が設置されて、前記二次電池を固定し、また、前記第一固定枠が、リング状に、前記二次電池の前記導電端子と前記逃がし弁を有する一端に設置され、また、前記第一固定枠に、前記導電端子と前記逃がし弁を露出させるための複数の貫通穴があることを特徴とする請求項７に記載の防護機能を有する二次電池パック。
【請求項９】
前記二次電池に、更に、隣り合う二つの前記導電端子にロックされる複数の導電シートがあって、前記二次電池が直列されることを特徴とする請求項６に記載の防護機能を有する二次電池パック。
【請求項１０】
前記導電シートが、固定素子によって、前記導電端子に固定されることを特徴とする請求項９に記載の防護機能を有する二次電池パック。
【考案の詳細な説明】
【技術分野】
【０００１】
本考案は、二次電池パックに関し、特に、外部環境から電池パックを隔離する防護機能を有する二次電池パックに関する。
【背景技術】
【０００２】
二次電池は、電池の電気エネルギーが枯れた後、再び、充電して、繰り返して利用できる電池である。近年、グリーンエネルギーの発展とともに、多くのバイクや車及び大型機械は、ガソリンによって駆動されず、電気エネルギーによって駆動されるようになる。
しかし、バイクや車或いは大型機械は、比較的大きい電力によって駆動されなければならず、そのため、二次電池に、より大きい電力を生成するために、使用時、複数の二次電池が直列され、導電シートによって、複数の二次電池の導電端子が接続され、複数の二次電池を、電池パックに直列して、より大きい電力を供給する。
【０００３】
また、電池パックを、車や大型機械に適用する場合、車や大型機械は、戸外に設置されるため、風や雨に晒されて、車や大型機械の内部にある電池パックは、濡れて漏電の恐れがある。車や大型機械が、零度以下の温度に置かれると、電池パックが凍結する恐れがあり、そのため、電池パックが、電気エネルギーを生成できず、或いは、漏電の事情が発生するおそれがあり、最悪の場合、ユーザーが、電池パックの漏電や爆発によって傷つく恐れがある。また、電池パックは、内部の不正放電により、高温になり、適度に熱エネルギーを排出しなければ、電池パックが爆発する恐れがある。そのため、電池パックを保護し、電池パックが、外部環境によって破壊されることや有効に放熱することを、重要視しなければならない。
【０００４】
本考案によれば、上記欠点を解消するため、慎重に研究し、また、学理を活用して、有効に上記欠点を解消でき、設計が合理的である防護機能を有する二次電池パックを提案する。
【考案の概要】
【考案が解決しようとする課題】
【０００５】
本考案の主な目的は、電池パックによって生成された熱エネルギーを吸収して、電池パック内の熱エネルギーを、外部へ排出し、電池パックの温度が高すぎることを防止し、また、外部空気や水蒸気を隔離して電池パックが濡れることを防止でき、また、凍結防止の目的を実現できる、防護機能を有する二次電池パックを提供することである。
【０００６】
本考案の他の目的は、構成が簡単で、生産効率が優れ、低コストでありながら、防護機能を有する二次電池パックを提供する。
【課題を解決するための手段】
【０００７】
上記の目的を達成するため、本考案は、電池パックの両端にそれぞれ導電部があり、各導電部にそれぞれ導線が電気的に接続され、ケーシングがあり、その内部に電池パックを収納する収納スペースが形成され、また、保護層があり、ケーシングに充填されて導線を露出させるように電池パックを覆い、保護層が常温において固体であるが、高温になると液体になり、保護層により電池パックが外部環境から隔離され、電池パックを保護でき、また、有効的に熱伝導できる防護機能を有する二次電池パックである。
【０００８】
以下、図面を参照しながら、本考案の特徴や技術内容について、詳しく説明するが、それらの図面等は、参考や説明のためであり、本考案は、それによって制限されるものでは無い。
【図面の簡単な説明】
【０００９】
【図１】本考案の立体図
【図２】本考案の立体斜視図
【図３】本考案の立体分解図
【図４】本考案に係る電池パックの立体図
【考案を実施するための最良の形態】
【００１０】
図１と図２を参照する。図のように、防護機能を有する二次電池パック１は、両端に、それぞれ、導電部１２を有し、各導電部１２に、それぞれ、導線１４が電気的に接続され、また、ケーシング４０があり、その内部に、電池パック１０を収納するための収納スペース４２が形成され、また、保護層３０があり、上記ケーシング４０に充填されて電池パック１０を覆い、電池パック１０から、導線１４が、保護層３０の外部へ露出し、電池パック１０は、導線１４により外部装置（図に未表示）へ電気的に接続され、外部装置に対して給電できる。
本実施例によれば、保護層３０は蝋からなり、保護層３０は、常温において、固体で、高温になると、液体になり、保護層３０により、電池パック１０が、完全に覆われて、電池パック１０から、外部環境の温度を隔離し、外部環境の温度が、摂氏零度以下に下がる時、電池パック１０が凍結されることを防止できる。また、保護層３０によって電池パック１０が覆われることにより、有効的に、水蒸気が隔離され、電池パック１０が濡れることが防止される。そして、外部気体、例えば、酸素等の燃焼し易い気体を、電池パック１０から隔離でき、電池パック１０の温度が高すぎる時、酸素に接触することにより、化学作用が発生して炎上するか爆発することを防止できる。
また、保護層３０の温度が、４６℃ー９０℃の範囲内にあると、液体保護層３０になり、そのため、電池パック１０の温度が、４６℃ー９０℃を超えると、保護層３０が溶け、それと同時に、電池パック１０の熱エネルギーが吸収され、電池パック１０の温度が高すぎることを防止できる。また、保護層３０が溶ける時も、外部の温度や水蒸気及び空気等が隔離され、電池パック１０が、温度が高すぎることや酸素に接触することにより、化学作用が発生し、炎上や爆発することが防止される。
また、ケーシング４０は、金属ケーシングであり、本実施例によれば、アルミニウムケーシングであり、アルミニウムは熱伝導効率が優れるため、本実施例のケーシング４０は、保護層３０に合わせて、有効的に、保護層３０に吸収される熱エネルギーを放熱でき、熱伝導効率が、大幅に、向上される。
【００１１】
また、図２と図３を参照して、保護層３０で電池パック１０を覆うことを説明する。図のように、まず、電池パック１０を、ケーシング４０の収納スペース４２にセットする。
本実施例において、保護層３０は蝋膜であるため、防護機能を有する二次電池パック１を作製する時、加熱されて溶けた蝋３０’を、ケーシング４０に注入し、ケーシング４０の収納スペース４２が、充填されて、導線１４が露出するように電池パック１０が覆われる。最後に、蝋３０’が冷却されて硬くなると、蝋膜が形成され、すなわち、電池パック１０の外に覆う保護層３０が形成される。
【００１２】
また、図２と図４を参照して、本考案に係る電池パック１０の構成を説明する。電池パック１０は、複数の二次電池１６を有し、複数の二次電池１６が、互いに並列され、各二次電池１６に、それぞれ、二つの導電端子１６２があり、各二次電池１６において、二つの導電端子１６２の間に、更に、逃がし弁１６４が設けられて、二次電池部１６の内部圧力が解放される。これにより、二次電池１６の内部圧力が大きすぎることにより、二次電池１６が爆発することを防止できる。
また、複数の二次電池１６が、直列されて、電池パック１０が形成され、導電シート１８を、導電端子１６２や隣り合う二次電池１６の導電端子１６２に接続することにより直列され、一列目の二次電池１６’と最終行の二次電池１６”のその一つの導電端子１６２が、隣り合う二次電池１６の導電端子１６２に接続されず、隣り合う二次電池１６に接続されない導電端子１６２が、電池パック１０の導電部１２とされる。上記の導電シート１８は、固定素子２０で、隣り合う二つの導電端子１６２にロックされて、複数の二次電池１６が直列され、固定素子２０は、ステンレスのボルトである。
【００１３】
また、電池パック１０は、更に、第一固定枠２２と第二固定枠２４を有し、それぞれ、複数の二次電池１６の上下両端に設置されて、複数の二次電池１６を固定し、第一固定枠２２は、リング状に、複数の二次電池１６の導電端子１６２と逃がし弁１６４を有する一端に設置され、第一固定枠２２に、導電端子１６２と逃がし弁１６４を露出させるための複数の貫通穴２２０が形成される。
第二固定枠２４は、複数の二次電池１６の導電端子１６２と逃がし弁１６４を有しない一端に設置され、これにより、第一固定枠２２と第二固定枠２４により、複数の二次電池１６を並列するように固定でき、保護層３０を覆うことに有利になる。
【００１４】
以上のように、本考案によれば、電池パックによって生成された熱エネルギーが吸収されて、電池パックの熱エネルギーが、外部へ排出され、電池パックの温度が高すぎることを防止できる。
また、本考案によれば、外部空気や水蒸気を隔離でき、電池パックが濡れることなく、凍結することなく、更に、構成が簡単で、生産効率が優れ、コストダウンが実現される。
【００１５】
そのため、本考案は、より進歩的かつより実用的であるため、法に従って実用新案登録出願をおこなう。
【００１６】
以上は、本考案のより良い実施例にすぎず、本考案は、それによって制限されるものでは無く、本考案に係る実用新案登録請求の範囲や明細書の内容に基づいて行った等価の変更や修正は、全てが、本考案の実用新案登録請求の範囲内に含まれる。
【符号の説明】
【００１７】
１      防護機能を有する二次電池パック
１０    電池パック
１２    導電部
１４    導線
１６    二次電池
１６’  二次電池
１６”  二次電池
１６２  導電端子
１６４  逃がし弁
１８    導電シート
２０    固定素子
２２    第一固定枠
２２０  貫通穴
２４    第二固定枠
３０    保護層
３０’  蝋
４０    ケーシング
４２    収納スペース
【図１】
0003196740.tif 000003
【図２】
0003196740.tif 000004
【図３】
0003196740.tif 000005
【図４】
0003196740.tif 000006